【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
複数の個人認証情報に基づき、複数の構造化データストアへのアクセスを提供する方法において、
前記複数の個人認証情報のうちの第１の個人認証情報を受け付けるステップと、
前記第１の個人認証情報の認証後、前記複数の構造化データストアのうちの第１のレベルのデータストアへのアクセスを提供するステップと、
前記複数のログインデータのうちの第２の個人認証情報を受け付けるステップと、
前記第２の個人認証情報の認証後、かつ前記第１の個人認証情報の認証後、前記複数の構造化データストアのうちの第２のレベルのデータストアへのアクセスを提供するステップと、
を含むことを特徴とする方法。
【請求項２】
請求項１に記載の方法において、
前記複数の個人認証情報のうちの第３の個人認証情報を受け付けるステップと、
前記第３の個人認証情報の認証後、かつ前記第１の個人認証情報および前記第２の個人認証情報の認証後、前記複数の構造化データストアのうちの第３のレベルのデータストアへのアクセスを提供するステップと、
をさらに含むことを特徴とする方法。
【請求項３】
請求項１または２に記載の方法において、前記複数の個人認証情報のうちのアルファ個人認証情報は、第１の生体認証タイプデータであることを特徴とする方法。
【請求項４】
請求項３に記載の方法において、前記複数の個人認証情報のうちのベータ個人認証情報は、前記第１の生体認証タイプデータとは異なる、第２の生体認証タイプデータであることを特徴とする方法。
【請求項５】
請求項４に記載の方法において、前記複数の個人認証情報のうちのガンマ個人認証情報は第３のデータタイプであり、前記第３のデータタイプは、前記第１のデータタイプおよび前記第２のデータタイプとは異なることを特徴とする方法。
【請求項６】
請求項１乃至５の何れか１項に記載の方法において、前記複数の構造化データストアのうちの少なくとも１つは、サードパーティ認証データを含むことを特徴とする方法。
【請求項７】
請求項６に記載の方法において、前記サードパーティ認証データは、パスワードを含むことを特徴とする方法。
【請求項８】
請求項１乃至７の何れか１項に記載の方法において、前記複数の構造化データストアのうちの少なくとも１つのデータストアは、データファイル、数字、または文字列のうちの少なくとも１つを含むことを特徴とする方法。
【請求項９】
請求項１乃至８の何れか１項に記載の方法において、前記複数の個人認証情報は、指紋データ、ピンコード、音声記録情報、音声メッセージデータ、顔画像情報、虹彩画像情報、または網膜画像情報のうちの少なくとも１つを含むことを特徴とする方法。
【請求項１０】
請求項１乃至９の何れか１項に記載の方法において、
前記複数のデータストアのうちの少なくとも１つのデータストアからのセキュア情報を含むデータストアユーザインタフェースを表示するステップをさらに含むことを特徴とする方法。
【請求項１１】
請求項１０に記載の方法において、前記データストアユーザインタフェースを表示するステップが、前記複数のデータストアのうちの前記選択されたデータストアに含まれる前記セキュア情報と関連付けられた１つまたは複数のアイコンを表示するステップをさらに含むことを特徴とする方法。
【請求項１２】
請求項１乃至１１の何れか１項に記載の方法において、
あらかじめ記憶されたセキュア情報に関するデータストア変更リクエストを受け付けるステップであって、前記データストア変更リクエストは、新しいデータストアを含む、受け付けるステップと、
前記あらかじめ記憶されたセキュア情報を前記新しいデータストアと関連付けるステップと、
をさらに含むことを特徴とする方法。
【請求項１３】
請求項１乃至１２の何れか１項に記載の方法において、
ウェブサイト登録画像ファイルを受け付けるステップと、
登録関連情報を含む前記ウェブサイト登録画像ファイル内のテキストを認識するステップと、
前記セキュア情報を、アクセスが認証されている、前記複数のデータストアのうちの選択されたデータストアと関連付けるステップと、
をさらに含むことを特徴とする方法。
【請求項１４】
請求項１３に記載の方法において、前記登録関連情報は、ウェブサイトドメイン、ビジネス名、ユーザ名、パスワード、パスワードのヒント、パスワードの手がかり、リセット用の質問、アイコン、またはリセット用の答えのうちの少なくとも１つを含むことを特徴とする方法。
【請求項１５】
請求項１乃至１４の何れか１項に記載の方法において、
前記複数のデータストアのうちの選択されたセキュアなストアからのセキュア情報を含むデータストア更新ユーザインタフェースを表示するステップと、
更新されたセキュア情報を前記ユーザから受け付けるステップと、
前記更新されたセキュア情報を前記選択されたデータストアと関連付けるステップと、
をさらに含むことを特徴とする方法。
【請求項１６】
請求項１乃至１５の何れか１項に記載の方法において、前記複数の個人認証情報のうちの少なくとも１つを受け付けるステップは、
前記複数の個人認証情報のうちの前記少なくとも１つをクライアントデバイスから受け付けるステップをさらに含むことを特徴とする方法。
【請求項１７】
請求項１乃至１６の何れか１項に記載の方法において、前記第１の個人認証情報を認証するステップ、または前記第２の個人認証情報を認証するステップは、
前記複数の個人認証情報のうちの前記少なくとも１つの個人認証情報をサーバに送信するステップと、
前記サーバから個人認証情報確認を受信するステップと、
をさらに含むことを特徴とする方法。
【請求項１８】
請求項１乃至１７の何れか１項に記載の方法を実行するように構成される、構造化データ保護システム。
【請求項１９】
請求項１乃至１７の何れか１項に記載の方法を実行するように構成される、コンピュータプログラム。
【請求項２０】
請求項１９に記載のコンピュータプログラムを記憶するように構成される、電子的に読み取り可能な媒体。
【請求項２１】
構造化データストアへのアクセスを設定する方法であって、
第１の個人認証設定情報を受け付けるステップと、
前記第１の個人認証設定情報に基づく第１の保存済み認証データをユーザプロファイルに保存するステップと、
第２の個人認証設定情報を受け付けるステップと、
前記第２の個人認証設定情報に基づく第２の保存済み認証データを前記ユーザプロファイルに保存するステップと、
を含む方法において、
前記複数の構造化データストアのうちの第１のレベルのデータストアへのアクセスを提供するための複数の認証情報のうちの第１の個人認証情報を認証するステップは、前記第１の保存済み認証データを使用するステップを含み、前記複数の構造化データストアのうちの第２のレベルのデータストアへのアクセスを提供するための前記複数の認証情報のうちの第２の個人認証情報を認証するステップは、前記第１の個人認証情報を認証するステップの後に前記第２の保存済み認証データを使用するステップを含むことを特徴とする方法。
【請求項２２】
請求項２１に記載の方法であって、
第３の個人認証設定情報を受け付けるステップと、
前記第３の個人認証設定情報を第３の保存済み認証データとして前記ユーザプロファイルに保存するステップと、
をさらに含む方法において、
前記複数の構造化データストアのうちの第３のレベルのデータストアへのアクセスを提供するための前記複数の認証情報のうちの第３の個人認証情報を認証するステップは、前記第１の個人認証情報および前記第２の個人認証情報を認証するステップの後に前記第３の保存済み認証データを使用するステップを含むことを特徴とする方法。
【請求項２３】
請求項２１または２２に記載の方法において、
第１のセキュア情報を受け付けるステップと、
前記第１のセキュア情報を、前記複数のデータストアのうちのアルファデータストアと関連付けるステップと、
をさらに含むことを特徴とする方法。
【請求項２４】
請求項２１乃至２３の何れか１項に記載の方法において、
第２のセキュア情報を受け付けるステップと、
前記第２のセキュア情報を、前記複数のデータストアのうちのベータデータストアと関連付けるステップと、
をさらに含むことを特徴とする方法。
【請求項２５】
請求項２１乃至２４の何れか１項に記載の方法において、前記複数の個人認証情報のうちのアルファ個人認証情報は、第１の生体認証タイプデータであることを特徴とする方法。
【請求項２６】
請求項２１乃至２５の何れか１項に記載の方法において、前記複数の個人認証情報のうちのベータ個人認証情報は、前記第１の生体認証タイプデータとは異なる、第２の生体認証タイプデータであることを特徴とする方法。
【請求項２７】
請求項２１乃至２６の何れか１項に記載の方法において、前記複数の個人認証情報のうちのガンマ個人認証情報は第３のデータタイプであり、前記第３のデータタイプは、前記第１のデータタイプおよび前記第２のデータタイプとは異なることを特徴とする方法。
【請求項２８】
請求項２１乃至２７の何れか１項に記載の方法において、前記複数の構造化データストアのうちの少なくとも１つは、サードパーティ認証データを含むことを特徴とする方法。
【請求項２９】
請求項２８に記載の方法において、前記サードパーティ認証データは、パスワードを含むことを特徴とする方法。
【請求項３０】
請求項２１乃至２９の何れか１項に記載の方法において、前記複数の構造化データストアのうちの少なくとも１つのデータストアは、データファイル、数字、または文字列のうちの少なくとも１つを含むことを特徴とする方法。
【請求項３１】
請求項２１乃至３０の何れか１項に記載の方法において、前記複数の個人認証情報は、指紋データ、ピンコード、音声記録情報、音声メッセージデータ、顔画像情報、虹彩画像情報、または網膜画像情報のうちの少なくとも１つを含むことを特徴とする方法。
【請求項３２】
請求項２１乃至３１の何れか１項に記載の方法において、
ウェブサイト登録画像ファイルを受け付けるステップと、
登録関連情報を含む前記ウェブサイト登録画像ファイル内のテキストを認識するステップであって、前記登録関連情報は、ウェブサイトドメイン、ビジネス名、ユーザ名、パスワード、パスワードプロンプト、パスワードの手がかり、リセット用の質問、アイコン、またはリセット用の答えのうちの少なくとも１つを含む、認識するステップと、
前記セキュア情報を、アクセスが認証されている、前記複数のデータストアのうちの選択されたデータストアと関連付けるステップと、
をさらに含むことを特徴とする方法。
【請求項３３】
請求項２１乃至３２の何れか１項に記載の方法において、前記第１の個人認証確認情報、前記第２の個人認証確認情報、または第３の個人認証確認情報のうちの少なくとも１つを受け付けるステップは、
ユーザ入力タイムアウト期間を決定するステップと、
前記ユーザ入力タイムアウト期間を前記ユーザプロファイルに保存するステップと、
をさらに含むことを特徴とする方法。
【請求項３４】
請求項２１乃至３３の何れか１項に記載の方法において、
あらかじめ記憶されたセキュア情報に関するデータストア変更リクエストを受け付けるステップであって、前記データストア変更リクエストは、新しいデータストアを含む、受け付けるステップと、
前記あらかじめ記憶されたセキュア情報を前記新しいデータストアと関連付けるステップと、
をさらに含むことを特徴とする方法。
【請求項３５】
請求項２１乃至３４の何れか１項に記載の方法により、構造化データ保護システムを設定するように構成される、システム。
【請求項３６】
請求項２１乃至３４の何れか１項に記載の方法により、構造化データ保護システムを設定するように構成される、コンピュータプログラム。
【請求項３７】
請求項３６に記載のコンピュータプログラムを記憶するように構成される、電子的に読み取り可能な媒体。